(57)【要約】【課題】フィルム供給部、フィルム排出部にイオン化した空気を供給し、フィルムに発生した静電気を中和してフィルムに塵埃が付着することを防止する。【解決手段】空気イオン化装置３１は装置本体２１の内部の空気中に含まれる微細粒子をコロナ放電によりプラスの電荷に帯電させることにより、イオン化した空気を発生する。ファンモータ３２はエアフィルタ３３を介して清浄な外気を空気イオン化装置３１に送り込み、装置本体２１の内部にイオン化した空気の流れが形成される。  トレイ２３、２５に設けたファンモータ２６、２７を動かすことにより、イオン化した空気の強い流れが形成され、トレイ２３、２５に積層されたフィルムＦの表面に蓄積した静電気が中和される。その結果、フィルムＦの表面に塵埃が付着し難くなり、付着した塵埃が吹き飛ばされる。【選択図】図１
2007166064.tif 000002
【特許請求の範囲】
【請求項１】
画像を有するフィルムをフィルム供給部から搬送機構により搬送し、搬送経路に配置した光透過部材を介して光源からの光を前記フィルムに照射し、前記フィルムの画像を読取光学系により読み取りを行い、画像読み取り後の前記フィルムをフィルム排出部に排出する画像読取装置において、空気イオン化装置を備え、イオン化した空気を前記フィルム供給部及び（又は）前記フィルム排出部に供給することを特徴とする画像読取装置。
【請求項２】
前記フィルム供給部及び（又は）前記フィルム排出部への前記イオン化した空気の供給は、前記フィルム供給部及び（又は）前記フィルム排出部に設置した空気供給手段により行うことを特徴とする請求項１に記載の画像読取装置。
【請求項３】
前記フィルム供給部からのフィルム供給動作時に、前記フィルム供給部の前記空気供給手段が非動作となることを特徴とする請求項２に記載の画像読取装置。
【請求項４】
前記フィルム排出部からのフィルム排出動作時に、前記フィルム排出部の前記空気供給手段が非動作となることを特徴とする請求項２に記載の画像読取装置。
【請求項５】
電源投入後の初期化動作時に、前記フィルム供給部の前記空気供給手段が動作することを特徴とする請求項２に記載の画像読取装置。
【請求項６】
前記読取光学系をカバーにより略密閉し、前記カバーに前記空気供給手段を取り付けて前記イオン化した空気を前記カバー内に供給し、前記カバーに設けたスリットから前記空気を排出することを特徴とする請求項１〜５の何れか１つの請求項に記載の画像読取装置。
【請求項７】
前記空気供給手段はファンモータとしたことを特徴とする請求項２〜６の何れか１つの請求項に記載の画像読取装置。
【請求項８】
前記スリットの近傍に前記光透過部材を配置したことを特徴とする請求項６に記載の画像読取装置。
【請求項９】
前記光透過部材は光拡散板としたことを特徴とする請求項１又は８に記載の画像読取装置。
【発明の詳細な説明】
【技術分野】
【０００１】
本発明は、フィルムに形成された画像を読み取る画像読取装置に関するものである。
【背景技術】
【０００２】
図３は例えば特許文献１に代表される従来例の概要構成図を示している。フィルムＦに記録された画像を読み取る際に、フィルムＦ上に塵埃等が付着していると、その読取画像が不鮮明になる。この従来例では、光学部材に常に清浄なエアフローを供給することでフィルムＦへの塵埃の付着を積極的に防止している。
【０００３】
装置本体１の内部において、フィルムＦをサプライトレイ２からレシーブトレイ３に搬送するための搬送機構４が、サプライトレイ２とレシーブトレイ３の間に設けられている。レシーブトレイ３の奥部にある搬送機構４の終端には副走査機構５が設けられ、副走査機構５の上方には光学ユニット６が設けられている。また、装置本体１の内部に外気を吸入するためのファンモータ７がエアフィルタ８を介して取り付けられており、光学ユニット６には光学ユニット６の内部に空気を送り込むファンモータ９が設けられている。
【０００４】
副走査機構５の第１のローラ対１０と第２のローラ対１１の間には、主走査方向にそれぞれ開口を有する一対の平面ガイド板１２、１３が、フィルムＦの通路の上下両側に配置されている。上方のガイド板１２の上方には、光学ユニット６の図示しないスリットが近接して設けられている。下方のガイド板１３の開口には光拡散板１４が取り付けられていて、ガイド板１３の下方には熱吸収フィルタ１５、ランプ１６が配置されている。
【０００５】
ファンモータ７、９を作動させると、ファンモータ７はエアフィルタ８を介した清浄な空気を装置本体１の内部に供給する。また、ファンモータ９は清浄な空気を光学ユニット６の内部に供給し、スリットの隙間からガイド板１２の開口を介して光拡散板１４に向けて噴出する。この構成により、スリットと光拡散板１４の周辺に強い気流が形成されるため、フィルムＦのスリット側の表面に塵埃が付着することを防止できる。
【０００６】
フィルムＦが光拡散板１４を通過する際に光拡散板１４に付着した塵埃は、フィルムＦが光拡散板１４を通過した後に、再びスリットの隙間から空気が噴射されるために、フィルムＦの通過直後に取り除かれる。取り除かれた塵埃は、サプライトレイ２、レシーブトレイ３を装填している装置本体１の隙間から外部に排出される。
【０００７】
【特許文献１】２０００−１６５５９６号公報
【発明の開示】
【発明が解決しようとする課題】
【０００８】
しかし上述の従来例では、フィルム供給時にサプライトレイ２上のフィルムＦ同士が摺動して、フィルムＦの表面に静電気が発生し塵埃が付着してしまう。この塵埃は静電気によりフィルムＦの表面に保持されているため、スリットの隙間からの空気噴射では除去しきれないために、塵埃が画像として読み取られてしまい、読取画像が不鮮明になるという問題がある。
【０００９】
更に、フィルムＦがレシーブトレイ３に排出された時にも、フィルムＦ同士が摺動してフィルムＦの表面に静電気が発生する可能性がある。この場合にも、塵埃がレシーブトレイ３上のフィルムＦに付着してしまい、その後にフィルムＦの手入れが必要になるという問題がある。
【００１０】
本発明の目的は、上述の問題点を解消し、イオン化した空気をフィルムに供給して、発生した静電気を中和して塵埃の付着を防止できる画像読取装置を提供することにある。
【課題を解決するための手段】
【００１１】
上述の目的を達成するための本発明に係る画像読取装置の技術的特徴は、画像を有するフィルムをフィルム供給部から搬送機構により搬送し、搬送経路に配置した光透過部材を介して光源からの光を前記フィルムに照射し、前記フィルムの画像を読取光学系により読み取りを行い、画像読み取り後の前記フィルムをフィルム排出部に排出する画像読取装置において、空気イオン化装置を備え、イオン化した空気を前記フィルム供給部及び（又は）前記フィルム排出部に供給することにある。
【発明の効果】
【００１２】
本発明に係る画像読取装置によれば、フィルム供給部及びフィルム排出部の内部のフィルムにイオン化した空気を供給することにより、フィルムに発生した静電気を中和してフィルムから塵埃を除去し、塵埃が付着することを防止することができる。
【００１３】
また、光学ユニットの内部にイオン化した空気を供給すれば、光学ユニット中の光学部材がメンテンナンスフリーとなる。
【発明を実施するための最良の形態】
【００１４】
本発明を図１、図２に図示の実施例に基づいて詳細に説明する。
図１は実施例の画像読取装置の構成図である。装置本体２１の下部にフィルム供給部開口２２が設けられ、フィルムＦを積み重ねて収納するサプライトレイ２３が、突当面２３ａを先端としてこのフィルム供給部開口２２から、装置本体２１に斜めに差し込まれている。また、装置本体２１の上部にも同様にフィルム排出部開口２４が設けられ、読み取られたフィルムＦを受け入れるためのレシーブトレイ２５が、突当面２５ａを先端としてこのフィルム排出部開口２５から、装置本体２１に斜めに差し込まれている。サプライトレイ２３のフィルム突当面２３ａ、レシーブトレイ２５のフィルム突当面２５ａには、それぞれスリット２３ｂ、２５ｂが形成されている。突当面２３ａ、２５ａの裏側には、それぞれファンモータ２６、２７が固定され、それぞれスリット２３ｂ、２５ｂを介してサプライトレイ２３内、レシーブトレイ２５内のフィルムＦの表面に空気を送風できるようにされている。
【００１５】
サプライトレイ２３とレシーブトレイ２５との間には搬送機構２８、副走査機構２９が設けられ、副走査機構２９の上方に光学ユニット３０が設けられている。
【００１６】
更に、副走査機構２９と同程度の高さの位置で、フィルム供給部開口２２及びフィルム排出部開口２４とは反対側に、空気イオン化装置３１がファンモータ３２、エアフィルタ３３を介して装置本体２１の筐体に取り付けられている。
【００１７】
搬送機構２８にはフィルムＦをサプライトレイ２３からレシーブトレイ２５に導くガイド板３４、３５が、点Ｃを中心として円弧状に所定の間隙で設けられている。ガイド板３４、３５の円弧の中心部には、回転搬送部３６が点Ｃを中心に自在に回動できるように設けられ、回転搬送部３６にはフィルムＦを吸着する吸盤３７が付設されている。吸盤３７は点Ｃからの距離を自在に可変できるように構成されており、サプライトレイ２３からフィルムＦを吸着して持ち上げ、ガイド板３４、３５によって形成されるフィルム搬送経路の終端でフィルムＦを解放するようにされている。
【００１８】
副走査機構２９には、吸盤３７により搬送されたフィルムＦの前端を受け入れる第１のローラ対３８、３９と、これらの第１のローラ対３８、３９により搬送されたフィルムＦを受け入れる第２のローラ対４０、４１とが設けられている。第１のローラ対３８、３９は図示しない駆動モータにより駆動され、上部のローラ３８、４０の間には、これらに接触するプーリ４２が介在されている。第２のローラ対４０、４１は第１のローラ対３８、３９にプーリ４２を介して従動し、フィルムＦをレシーブトレイ２５に排出するようにされている。
【００１９】
図２は副走査機構２９の要部と光学ユニット３０の部分拡大図を示している。第１のローラ対３８、３９と第２のローラ対４０、４１の間には、一対の平面ガイド板４３、４４が、搬送されるフィルムＦを上下から挟むように通路を形成しており、これらのガイド板４３、４４はそれぞれ開口４３ａ、４４ａを有している。
【００２０】
ガイド板４４の下方には、リフレクタ４５付きのランプ４６が配置されており、上方への光路上に、熱吸収フィルタ４７、ガイド板４４の開口４４ａに取り付けられた光拡散板４８、ガイド板４３に設けられた開口４３ａが順次に配置されている。ガイド板４３の開口４３ａの出口方向に光学ユニット３０の光学基台５１があり、光学基台５１の下方にはスリット支持部４９、５０が固定されている。また、スリット支持部４９、５０の下部のガイド板４３の開口４３ａの近傍にスリット５２、５３が配置され、スリット支持部４９、５０の外側にはスリットカバー５４、５５が設置されている。
【００２１】
ランプ４６の光路上の光学ユニット３０の光学基台５１には開口５１ａが設けられ、更に光学ユニット３０の光学ユニットカバー５６内には、反射ミラー５７が配置され、反射ミラー５７の反射方向にはレンズ５８、ＣＣＤ５９が配列されている。また、ＣＣＤ５９の後方の光学ユニットカバー５６には、空気を光学ユニット３０の内部に吸引するためのファンモータ６０が設けられ、その後部にエアフィルタ６１が取り付けられている。
【００２２】
そして、ファンモータ６０による送風は、光学ユニットカバー５６の内部、光学基台５１の開口５１ａ、スリット支持部４９、５０の間、スリット５２、５３の間を通って、ガイド板４３の開口４３ａから光拡散板４８に向けて噴出するようになっている。
【００２３】
フィルムＦに記録された画像を読み取る際には、搬送機構２８の回転搬送部３６に設けられた吸盤３７が位置ａから位置ｂに下降し、サプライトレイ２３に積層された１枚のフィルムＦを吸着して位置ｃに上昇する。次に、回転搬送部３６の点Ｃを中心とする回動により、吸盤３７はフィルムＦをガイド板３４、３５によって形成される経路に沿って位置ｄまで搬送し、フィルムＦの先端を第１のローラ対３８、３９に挿入する。そして、吸盤３７が位置ｅに移動してフィルムＦを解放した後に、回転搬送部３６は最初の位置ａに戻る。
【００２４】
ここでランプ４６が点灯し、第１のローラ対３８、３９はフィルムＦを更に搬送し、プーリ４２を介して第２のローラ対４０、４１の間にフィルムＦを挿入する。フィルムＦがガイド板４３、４４の間の隙間を通過する際に、ランプ４６から出射されリフレクタ４５で集光された光束は、熱吸収フィルタ４７と光拡散板４８を順に透過してフィルムＦに入射する。
【００２５】
フィルムＦを透過した光束は、ガイド板４３の開口４３ａ、光学ユニット３０のスリット５２、５３、光学基台５１の開口５１ａを通過した後に、ミラー５７で反射され、レンズ５８を透過してＣＣＤ５９に入射する。ＣＣＤ５９においてフィルムＦの画像が読み取られ、読み取りが終了したフィルムＦは第２のローラ対４０、４１によりレシーブトレイ２５に排出される。
【００２６】
この間に空気イオン化装置３１は、例えば装置本体２１の内部の空気中に含まれる微細粒子をコロナ放電によりプラスの電荷に帯電させることにより、イオン化した空気を発生する。同時に、ファンモータ３２はエアフィルタ３３を介して清浄な外気を空気イオン化装置３１に送り込み、装置本体２１の内部にイオン化した空気の流れが形成される。このイオン化した空気の流れにより、装置本体２１の内部の静電気が中和され取り除かれるので、フィルムＦに塵埃が付着することを防止して、フィルムＦに付着した塵埃を除去することが可能となる。
【００２７】
特に、ファンモータ２６、２７を動かすことにより、トレイ２３、２５にイオン化した空気の強い流れが形成され、積層されたフィルムＦの表面に蓄積した静電気が中和され、フィルムＦの表面に塵埃が付着し難くなり、付着した塵埃が吹き飛ばされる。なお、トレイ２３、２５内のフィルムＦに生じた静電気を中和し塵埃を除去するに当って、フィルムＦをトレイ２３、２５に入れてから、ファン２６、２７による送風に時間を十分にかけると効果的である。
【００２８】
また、ファンモータ６０はイオン化した空気を光学ユニット３０の内部に取り込んで、図２の矢印で示すような経路で、スリット５２、５３の間及びガイド板４３の開口４３ａから、光拡散板４８に向けて空気を噴出する。これにより、常にスリット５２、５３と光拡散板４８の周辺にイオン化した空気の強い流れが形成されるため、静電気によりフィルムＦの表面の付着した塵埃の除去がなされる。
【００２９】
更に、ファンモータ６０により形成される図２の矢印で示されるイオン化した空気流が光学ユニット３０の内部に流れ続けることから、光学ユニット３０の内部では塵埃の付着が防止され、或いは付着したとしても容易に除去される。即ち、光学ユニット３０内の光学部材がメンテンナンスフリーとなる。
【００３０】
なお本実施例では、サプライトレイ２３からのフィルム供給動作時には、ファンモータ２６は動作せず、またレシーブトレイ２５へのフィルム排出動作時には、ファンモータ２７は動作しないようにしている。従って、ファンモータ２６、２７が動作中に生ずる空気流及びモータの振動等によるフィルムＦの搬送に対する干渉が防止される。
【００３１】
また、サプライトレイ２３、レシーブトレイ２５に共にファンモータ２６、２７による空気供給手段を設けているが、一方のみに設けても効果はある。
【図面の簡単な説明】
【００３２】
【図１】実施例の画像読取装置の構成図である。
【図２】副走査機構の要部と光学ユニットの部分拡大図である。
【図３】従来例の画像読取装置の構成図である。
【符号の説明】
【００３３】
２１  装置本体
２２  フィルム供給部開口
２３  サプライトレイ
２４  フィルム排出部開口
２５  レシーブトレイ
２６、２７、３２、６０  ファンモータ
２８  搬送機構
２９  副走査機構
３０  光学ユニット
３１  空気イオン化装置
３３、６１  エアフィルタ
３６  回転搬送部
３７  吸盤
４６  ランプ
４８  光拡散板
５１  光学基台
５２、５３  スリット
５６  光学ユニットカバー
５９  ＣＣＤ
Ｆ  フィルム
【図１】
2007166064.tif 000003
【図２】
2007166064.tif 000004
【図３】
2007166064.tif 000005